(57)【要約】【課題】おむすびを包装する海苔を内包したフィルムの外側のものの切断が容易に行え、フィルム間に予め海苔を入れる際、海苔が所定位置に納まるよう位置決めする。【解決手段】▲１▼．包装用フィルム１は、おむすびｏを包装した状態で表面側のフィルムを左右方向中央部から縦方向に切断可能な開封テープ４を添設し、該開封テープ４の上部のフィルム切断開始位置に、表示部または切断用ガイド５を設け、フィルムの裏側に、長手方向一側縁にフィルム内に海苔を挿入する開口部６を形成し、該開口部６と対向する他側縁及び上下何れかの側縁と所定の間隔を開けて、開口部６から挿入される海苔８の先端部を位置決めするストッパー９ａ，９ｂを設けた。▲２▼．ストッパー９ａ，９ｂは、二枚のフィルムを点線状に蒸着して形成される。【選択図】        図１
2004305183.tif 000002
【特許請求の範囲】
【請求項１】
おむすびを、海苔を内包した長方形状のフィルムにより包装し、該おむすびを食するとき、前記フィルムの外側のものを縦方向に切断し、該フィルムを左右両側端部において外側に向け引っ張って抜き取って乾いた海苔を露出させ、該海苔をおむすびの表面に巻き付けて食するようにしたおむすび包装用フィルムであって、
前記包装用フィルムは、おむすびを包装した状態で表面側のフィルムを左右方向中央部から縦方向に切断可能な開封テープを添設し、該開封テープの上部のフィルム切断開始位置に、表示部または切断用ガイドを設け、フィルムの裏側に、長手方向一側縁にフィルム内に海苔を挿入する開口部を形成し、該開口部と対向する他側縁及び上下何れかの側縁と所定の間隔を開けて、開口部から挿入される海苔の先端部を位置決めするストッパーを設けたことを特徴とするおむすび包装用フィルム。
【請求項２】
前記ストッパーは、二枚のフィルムを点線状に蒸着して形成されることを特徴とする請求項１記載のおむすび包装用フィルム。
【発明の詳細な説明】
【０００１】
【発明の属する技術分野】
本発明は、おむすびを包装する海苔を内包したフィルムの外側のものを切断する作業が容易に行え、特に、フィルム間に予め海苔を入れる際、海苔が所定位置に納まるよう位置決めするおむすび包装用フィルムに関する。
【０００２】
【従来の技術】
従来、おむすびを、海苔を内包した長方形状のフィルムにより包装し、該おむすびを食するとき、前記フィルムの外側のものを縦方向に切断し、該フィルムを左右両側端部において外側に向け引っ張って抜き取って乾いた海苔を露出させ、該海苔をおむすびの表面に巻き付けて食するようにしたおむすび包装用フィルムが周知である（例えば、特許文献１参照）。
【０００３】
【特許文献１】
実用新案登録第３０８４１３１号公報
【０００４】
前記先行技術のおむすび包装用フィルムは、図４及び図５に示すように構成されている。即ち、縦長長方形でほぼ二重構造のおむすび包装用フィルムａは、左右方向中央部から縦方向に二等分される右フィルムｂと左フィルムｃが、切断可能に添設された開封テープｄにより仕切られている。該開封テープｄの上部のフィルム切断開始位置に、切断用ガイドｅを設けている。また、包装用フィルムａは、図４で右側の側縁を、海苔ｎを挿入するための開口部ｆとして開口し、上端縁ｇ１と下端縁ｇ２、及び開口部ｆと対向する左側縁ｇ３をそれぞれヒートシールにより密閉している。右フィルムｂの裏側端縁ｂ１と左フィルムｃの裏側端縁ｃ１とは海苔ｎが挿入しやすいようにわずかにラップしているが、このラップ部分は、開封テープｄにより右フィルムｂと左フィルムｃに切断したときは、右フィルムｂと左フィルムｃに容易に分離されるようになっている。
【０００５】
そして、開口部ｆからフイルム内に海苔ｎを入れ、この海苔ｎを内装した包装用フィルムａにより、図５に示すようにおむすびｏを包装する。包装されたおむすびｏを食するときは、切断用ガイドｅから開封テープｄを下側に引っ張って右フィルムｂと左フィルムｃの外側を縦方向に切断する。次に、右フィルムｂと左フィルムｃの左右両外側端部を持って外側に向け引っ張ると、右フィルムｂと左フィルムｃは分離して抜き取られ、乾いた海苔ｎが露出する。この露出した海苔ｎをおむすびｏの表面に巻き付けて食べるのである。
【０００６】
また、海苔ｎを内装した包装用フィルムａは、おむすび包装用としての使用方法に限らず、海苔容器としても使用できる。即ち、おむすびを別に用意し、包装用フィルムａに入れた海苔ｎを、おむすびを食するときに、包装用フィルムａの切断用ガイドｅから開封テープｄを下側に引っ張って右フィルムｂと左フィルムｃの外側を縦方向に切断し、右フィルムｂと左フィルムｃの左右両外側端部を持って左右方向に向け引っ張って海苔ｎを取り出し、おむすびの表面に巻き付けて食べる、という使い方もできる。さらに、家庭用の手巻きすしの海苔として、あるいは回転すしの海苔としても使用することができる。
【０００７】
【発明が解決しようとする課題】
ところで、上記従来のおむすび包装用フィルムａにおいては、開口部ｆからフイルム内に海苔ｎを入れるとき、図４に示すように包装用フィルムａのほぼ中央部に入れてフィルム間に収容し、おむすびｏを包装するのが望ましい。しかし、包装用フィルムａ内において海苔ｎが偏って収容されると、図５に示すように、おむすびｏを食するとき、切断用ガイドｅから開封テープｄを下側に引っ張って右フィルムｂと左フィルムｃの外側を縦方向に切断し、右フィルムｂと左フィルムｃの左右両外側端部を持って外側に向け引っ張って海苔ｎを露出させる際、海苔ｎが左フィルムｃに引っ張られてちぎれてしまい、海苔ｎの全サイズをおむすびｏの表面に巻き付けて食することがてきなくなる、という不都合があった。
【０００８】
本発明は、上記の事情にかんがみなされたもので、フィルムの外側を縦方向に切断する作業が容易の行え、フィルム内に海苔のストッパーを設けて、開口部からフイルム内に海苔を入れるとき、フイルム内のほぼ所定位置に簡単に入れられるようにしたおむすび包装用フィルムを提供することを目的とする。
【０００９】
【課題を解決するための手段】
上記の目的を達成するために本発明は、以下の構成を有することを特徴としている。
【００１０】
Ａ．おむすびを、海苔を内包した長方形状のフィルムにより包装し、該おむすびを食するとき、前記フィルムの外側のものを縦方向に切断し、該フィルムを左右両側端部において外側に向け引っ張って抜き取って乾いた海苔を露出させ、該海苔をおむすびの表面に巻き付けて食するようにしたおむすび包装用フィルムであって、
前記包装用フィルムは、おむすびを包装した状態で表面側のフィルムを左右方向中央部から縦方向に切断可能な開封テープを添設し、該開封テープの上部のフィルム切断開始位置に、表示部または切断用ガイドを設け、フィルムの裏側に、長手方向一側縁にフィルム内に海苔を挿入する開口部を形成し、該開口部と対向する他側縁及び上下何れかの側縁と所定の間隔を開けて、開口部から挿入される海苔の先端部を位置決めするストッパーを設けた。
【００１１】
Ｂ．前記ストッパーは、二枚のフィルムを点線状に蒸着して形成される。
【００１２】
【作用】
上記Ａ．及びＢ．（請求項１及び２）の構成によって本発明のおむすび包装用フィルムは、以下の作用をする。
【００１３】
ａ．海苔を内包したフィルムにより包装されたおむすびを食するときは、表示部または切断用ガイドから開封テープを引いて表面側のフィルムを左右方向中央部から縦方向に容易に切断し、フィルムを左右両側端部において外側に向け引っ張って抜き取って乾いた海苔を露出させ、該海苔をおむすびの表面に巻き付けて食する。また、フィルムの開口部からフィルム内に海苔を挿入するときは、海苔の先端部をストッパーに当接させるだけで、フィルム内の所定位置に位置決めすることができる。
【００１４】
ｂ．ストッパーは、二枚のフィルムを点線状に蒸着（マルチポイントシール）により形成されるので、ストッパーの形成が容易であり、しかも、ストッパーとしての機能が優れている。
【００１５】
【発明の実施の形態】
以下、本発明の一実施の形態を図面に基づいて具体的に説明する。
【００１６】
図１及び図２において、符号１は縦長長方形でほぼ二重構造のおむすび包装用フィルムで、このおむすび包装用フィルム１は、左右方向中央部から縦方向に二等分される右フィルム２と左フィルム３からなり、左右方向中央部から縦方向に切断可能に開封テープ４を添設している。該開封テープ４の上部のフィルム切断開始位置に、表示部または切断用ガイド５を設けている。また、おむすび包装用フィルム１は、その裏側に、図１の右側の側縁を、海苔８を挿入するための開口部６として開口し、上端縁７ａと下端縁７ｂ、及び開口部６と対向する左側縁７ｃをそれぞれヒートシールにより密閉している。右フィルム２の裏側端縁２ａと左フィルム３の裏側端縁３ａとは海苔８が挿入しやすいようにわずかにラップしているが、このラップ部分は、開封テープ４により右フィルム２と左フィルム３に切断したときは、右フィルム２と左フィルム３とに容易に分離されるようになっている。
【００１７】
前記開口部６と対向する左側縁７ｃ及び上下何れかの側縁（この実施例では下端縁７ｂ）と所定の間隔を開けて、開口部６から挿入される海苔８の先端部を位置決めするストッパー９ａ，９ｂを設けている。このストッパー９ａ，９ｂは、二枚のフィルムを点線状に蒸着するマルチポイントシールにより形成される。該ストッパー９ａ，９ｂを設けることにより、開口部６からフイルム内に海苔８を入れるとき、海苔８の二辺の先端部をストッパー９ａ，９ｂに当接させるだけで海苔８をおむすび包装用フィルム１のほぼ中心位置に収容することができる。
【００１８】
この海苔８を内装した包装用フィルム１により、図３に示すようにおむすびｏを包装する。そして、おむすびｏを食するときは、切断用ガイド５から開封テープ４を下側に引っ張って、右フィルム２と左フィルム３の外側を縦方向に切断する。次に、右フィルム２と左フィルム３の左右両外側端部を持って外側に向け引っ張ると、右フィルム２と左フィルム３は分離して抜き取られ、乾いた海苔８が露出し、この海苔８をおむすびｏの表面に巻き付けて食する。右フィルム２と左フィルム３の左右両外側端部を持って外側に向け引っ張って海苔８を露出させるとき、海苔８が包装用フィルム１の中心部に収容されているので、海苔８を破ることなく露出することができる。
【００１９】
また、海苔８を内装した包装用フィルム１は、おむすび包装用としての用途に限らず、海苔容器として使用することができる。即ち、おむすびを別に用意し、おむすびを食するときは、包装用フィルム１の表示部または切断用ガイド５から開封テープ４を下側に引っ張って右フィルム２と左フィルム３の外側を縦方向に切断し、右フィルム２と左フィルム３の左右両外側端部を持って左右方向に向け引っ張って海苔８を取り出し、おむすびの表面に巻き付けて食べる、という使い方もできる。さらに、家庭用の手巻きすしの海苔として、あるいは回転すしの海苔としても使用することができる。
【００２０】
【発明の効果】
以上説明したように本発明のおむすび包装用フィルムによれば、請求項１及び２の構成を有することにより、以下の作用効果を奏することができる。
【００２１】
▲１▼．包装用フィルムは、おむすびを包装した状態で表面側のフィルムを左右方向中央部から縦方向に切断可能な開封テープを添設し、該開封テープの上部のフィルム切断開始位置に、表示部または切断用ガイドを設け、フィルムの裏側に、長手方向一側縁にフィルム内に海苔を挿入する開口部を形成し、該開口部と対向する他側縁及び上下何れかの側縁と所定の間隔を開けて、開口部から挿入される海苔の先端部を位置決めするストッパーを設けたので、包装用フィルムにより包装されたおむすびを食するときは、表示部または切断用ガイドから開封テープを引いて表面側のフィルムを左右方向中央部から縦方向に容易に切断し、フィルムを左右両側端部において外側に向け引っ張って抜き取って乾いた海苔を露出させ、該海苔をおむすびの表面に巻き付けて食することができる。また、包装用フィルムの開口部からフィルム内に海苔を挿入するときは、海苔の先端部をストッパーに当接させて位置合わせするだけで、フィルム内の所定位置に海苔を位置決めすることができる。
【００２２】
▲２▼．ストッパーは、二枚のフィルムを点線状に蒸着して形成されるので、ストッパーを容易に形成することができる。しかもストッパーは、海苔の位置決め機能が優れている。
【図面の簡単な説明】
【図１】本発明によるおむすび包装用フィルムの平面図である。
【図２】（Ａ）はおむすび包装用フィルムの裏面側斜視図、（Ｂ）は図（Ａ）の（Ｂ）方向からの斜視図である。
【図３】おむすび包装用フィルムによりおむすびを包装した状態の斜視図である。
【図４】従来のおむすび包装用フィルムの平面図である。
【図５】従来のおむすび包装用フィルムによりおむすびを包装した状態の斜視図である。
【符号の説明】
１  おむすび包装用フィルム
２  右フィルム  ２ａ  裏側端縁
３  左フィルム  ３ａ  裏側端縁
４  開封テープ
５  表示部または切断用ガイド
６  開口部
７ａ  上端縁    ７ｂ  下端縁  ７ｃ  左側縁
８  海苔
９ａ，９ｂ  海苔の位置決めストッパー（マルチポイントシール）
ｏ  おむすび
【図１】
2004305183.tif 000003
【図２】
2004305183.tif 000004
【図３】
2004305183.tif 000005
【図５】
2004305183.tif 000006
【図４】
2004305183.tif 000007